(57)【要約】【課題】第１の光軸から第２の光軸へと光路を変更するためにプリズム等の屈曲光学系を有するレンズ鏡筒において、第２の光軸に沿う光学部材に係る取付誤差の影響を低減して精度を高めること。【解決手段】レンズ鏡筒は第１の光軸Ａに沿って移動可能に配置される光学部材と、第２の光軸Ｂに沿って配置される光学調整可能な光学部材７と、光軸Ａから光軸Ｂへと光路を変更するプリズムと、光軸Ｂに沿って配置される光学部材３，４を備える。光学部材７の光学調整の際、光源５２からの光は、調整用チャート５２、光学部材３，４及び７を通り、光学部材７の保持部材６に形成した開口部６ａ、さらにはレンズ鏡筒の開口部から外部に出射される。調整用工具レンズ５３及びセンサ５４は、レンズ鏡筒の外部に出射した光を検出し、その評価結果に基づき、光軸Ｂと直交する方向にて光学部材７の位置を調整する作業が行われた後、光学部材７が保持部材６に固定される。【選択図】図７
2012042565.tif 000002
【特許請求の範囲】
【請求項１】
第１の光軸上に配置される第１の光学部材と、
第２の光軸上に配置される光学調整可能な第２の光学部材と、
前記第１の光軸から前記第２の光軸へと光路を変更する屈曲光学素子と、
前記第２の光軸上に配置される第３の光学部材を備えたレンズ鏡筒であって、
前記第２の光軸上に前記第２の光学部材を配置して該光学部材の光学調整を行う際に、光学調整に用いる光源からの光が、前記第２の光軸に沿って前記第３の光学部材及び第２の光学部材を通り、前記レンズ鏡筒を貫通してその開口部から外部に出射されるように構成したことを特徴とするレンズ鏡筒。
【請求項２】
前記屈曲光学素子の保持部材を備え、
前記光学調整が行われた前記第２の光学部材が前記保持部材に固定されることを特徴とする請求項１記載のレンズ鏡筒。
【請求項３】
前記保持部材は、前記光源からの光を通すために形成した開口部を有し、
前記第２の光学部材が固定された前記保持部材の前記開口部には、前記第２の光軸に沿う光を遮光する遮光部材が取り付けられていることを特徴とする請求項２記載のレンズ鏡筒。
【請求項４】
前記第１の光学部材を保持して前記第１の光軸に沿って撮影位置と収納位置との間を移動する可動部と、
前記屈曲光学素子及び前記第２の光学部材を保持して前記第２の光軸に沿って移動する保持部材と、
前記第２の光軸に沿って移動する前記第３の光学部材又は該第３の光学部材とともに移動する部材をさらに備え、
前記第３の光学部材又は該第３の光学部材とともに移動する部材が前記第２の光軸に沿って移動する際、前記収納位置への前記可動部の移動を規制することにより、前記第３の光学部材又は該第３の光学部材とともに移動する部材と前記可動部との干渉を防止する規制手段を前記保持部材に設けたことを特徴とする請求項１記載のレンズ鏡筒。
【請求項５】
前記保持部材は前記第１の光軸と直交する前記第２の光軸に沿って移動し、
前記第１の光軸の方向における前記規制手段と前記可動部との距離が、前記第１の光軸の方向における前記第３の光学部材又は該第３の光学部材とともに移動する部材と前記可動部との距離よりも小さいことを特徴とする請求項４記載のレンズ鏡筒。
【請求項６】
請求項１から５のいずれか１項に記載のレンズ鏡筒と、
前記第２の光軸上に配置された撮像素子を備えたことを特徴とする撮像装置。
【請求項７】
前記屈曲光学素子の保持部材は、前記撮像素子の側に、前記第２の光学部材の粗調整を行うために該第２の光学部材を保持する保持部を有することを特徴とする請求項６記載の撮像装置。
【請求項８】
第１の光軸上に配置される第１の光学部材と、第２の光軸上に配置される光学調整可能な第２の光学部材と、前記第１の光軸から前記第２の光軸へと光路を変更する屈曲光学素子と、前記第２の光軸上に配置される第３の光学部材を備えたレンズ鏡筒にて前記第２の光学部材の光学調整を行う光学調整方法であって、
前記第２の光軸上に前記第２の光学部材を配置した状態で、該第２の光学部材の光学調整に用いる光源及び調整用チャートを配置し、前記光源から前記調整用チャートを介して前記第２の光軸に沿って前記第３の光学部材及び第２の光学部材を通り、前記レンズ鏡筒を貫通してその開口部から外部に出射した光を検出する検出手段を配置するステップと、
前記検出手段に結像する前記調整用チャートの検出像に基づき、前記第２の光軸と直交する方向にて前記第２の光学部材の位置を調整するステップを有することを特徴とする光学調整方法。
【発明の詳細な説明】
【技術分野】
【０００１】
本発明は屈曲光学系を用いたレンズ鏡筒の光学調整に関する。
【背景技術】
【０００２】
光軸方向をプリズム等の屈曲光学系で変更して結像させる撮像装置が知られている。複数のレンズ群とプリズム等を備えたレンズ鏡筒は、第１のレンズ群が第１の光軸に沿って被写体側からの入射光束を取り込み、第１のレンズ群を透過した光束をプリズムで折り曲げて第２の光軸の方向へと光路を変更する。第２の光軸は、第１の光軸に対して所定の角度、例えば９０度で交差し、第２の光軸に沿って第２のレンズ群を透過した光束を撮像素子が受光する。
【０００３】
特許文献１に開示のレンズ鏡筒では、最初に第２の光軸に沿って移動する第２のレンズ群が撮像素子側に退避し、その後にできる空間に、第１の光軸に沿って移動する第１のレンズ群が沈胴する。
【０００４】
また一般に、レンズ鏡筒の組み立て誤差や寸法誤差を吸収するために、レンズ群またはレンズ群を構成する単レンズを光学調整可能に構成したレンズ鏡筒が知られている。
特許文献２に開示のレンズ鏡筒では、まず第２の光軸に沿ったレンズ群をレンズ鏡筒に取り付け、レンズ鏡筒を撮像装置本体に設置した後で第１の光軸に沿うレンズ群を調整可能な構成をもつ。
【０００５】
特許文献３に開示のプリズム検査方法では、プリズムを保持するプリズム保持部材にて、プリズムの反射面と対向する位置に中間壁を備え、中間壁に開口部を設けることでプリズムの反射面の位置を計測可能にする。
【先行技術文献】
【特許文献】
【０００６】
【特許文献１】特開２００６−２５９６８５号公報
【特許文献２】特開２００９−１４５６９１号公報
【特許文献３】特開２００９−１０４１６８号公報
【発明の概要】
【発明が解決しようとする課題】
【０００７】
しかしながら従来の技術では前記第２のレンズ群に係る光学調整に関して以下の問題があった。
前記特許文献２に開示の技術では、プリズムを含む屈曲光学系で光学調整を実施する。このため、第２の光軸に沿ったレンズ群の取付誤差には、プリズムの取付誤差による光軸の倒れ成分が含まれてしまうという問題があった。
また特許文献３にはプリズムの取付誤差の検査についてのみ開示されており、第２の光軸に沿ったレンズ群の取付誤差を吸収する光学調整が出来ないという問題があった。
【０００８】
そこで本発明の目的は、第１の光軸から第２の光軸へと光路を変更するためにプリズム等の屈曲光学系を有するレンズ鏡筒において、第２の光軸に沿う光学部材に係る取付誤差の影響を低減して精度を高めることにある。
【課題を解決するための手段】
【０００９】
上記課題を解決するために本発明に係るレンズ鏡筒は、第１の光軸上に配置される第１の光学部材と、第２の光軸上に配置される光学調整可能な第２の光学部材と、前記第１の光軸から前記第２の光軸へと光路を変更する屈曲光学素子と、前記第２の光軸上に配置される第３の光学部材を備えたレンズ鏡筒であって、前記第２の光軸上に前記第２の光学部材を配置して該光学部材の光学調整を行う際に、光学調整に用いる光源からの光が、前記第２の光軸に沿って前記第３の光学部材及び第２の光学部材を通り、前記レンズ鏡筒を貫通してその開口部から外部に出射されるように構成したものである。
【発明の効果】
【００１０】
本発明によれば、前記第２の光軸上に配置された光学部材のみで光学調整を行えるので、光学部材の取付誤差の影響を低減して精度を高めることができる。
【図面の簡単な説明】
【００１１】
【図１】図２及び３と併せて本発明の実施形態に係るレンズ鏡筒の構成例として、広角位置にある状態を示す要部断面図である。
【図２】レンズ鏡筒が望遠位置にある状態を示す要部断面図である。
【図３】レンズ鏡筒が収納位置にある状態を示す要部断面図である。
【図４】図１乃至３に示す固定筒６２の内周面の展開図である。
【図５】プリズムの保持部材とその支持機構の構成例を示す斜視図である。
【図６】調整レンズの光学調整に関与する部分の構成例を示す斜視図である。
【図７】調整レンズの光学調整を説明する模式図である。
【図８】第１群レンズ及び第２群レンズを含む可動部と、鏡筒ベースを示す分解斜視図である。
【発明を実施するための形態】
【００１２】
以下、本発明の実施形態に係る撮像装置の一例を、図面を参照して説明する。なお、本実施形態では、デジタルカメラ等の撮像装置に搭載されるレンズ鏡筒を例にして説明する。
図１は、本実施形態に係る撮像装置のレンズ鏡筒がＷＩＤＥ位置（広角位置）にある状態を示す要部断面図である。図１に示すレンズ鏡筒は、Ａ軸で示す第１の光軸上に配置された第１レンズ群１０及び第２レンズ群２０（第１の光学部材）を備える。またレンズ鏡筒は、Ｂ軸で示す第２の光軸上に配置された調整レンズ７（第２の光学部材）、第３レンズ群３０及び第４レンズ群４０（第３の光学部材）を備える。第１レンズ群１０及び第２レンズ群２０の駆動機構は、固定筒６２に保持されるカム筒６１及び直進ガイド筒６３を備える。
【００１３】
第１レンズ群１０は１群レンズ１及び２群レンズ２を有し、１群レンズ１は１群鏡筒１１が保持し、２群レンズ２は２群鏡筒２１が保持する。１群レンズ１及び２群レンズ２を通って入射した光束は、プリズム５により第１の光軸Ａから第２の光軸Ｂへと光路変更を受ける。つまり、１群レンズ１及び２群レンズ２を通った光は、光軸Ａに対して略９０°の角度で交差する光軸Ｂの方向に屈曲され、第３レンズ群３０及び第４レンズ群４０、光学フィルタ８を通って撮像素子９に導かれる。
屈曲光学素子の一例としてのプリズム５は保持部材６に保持されており、不図示の駆動機構により第２の光軸Ｂに沿って移動可能である。保持部材６は、プリズム５の出射面側の光軸Ｂ上において調整レンズ７を光学調整可能に保持する。保持部材６には、第２の光軸Ｂに沿って貫通状態で開口部６ａが形成されており、調整レンズ７とは反対側に形成された開口部６ａは、遮光部材であるプリズムカバー１５によって遮光される。プリズム５で光路変更を受けた光は調整レンズ７を通った後、第２の光軸Ｂ上の第３レンズ群３０、第４レンズ群４０及び光学フィルタ８を通って撮像素子９に到達する。
第３レンズ群３０は、前地板３２に取り付けられたシャッタ（図６及び図８のシャッタ駆動部３０ａ参照）と、後地板３４に保持された３群レンズ３を備え、後地板３４と前地板３２はねじ締結等で結合されている。第３レンズ群３０は、不図示の第３レンズ群用モータによって第２の光軸Ｂに沿って移動することで変倍動作が行われる。また第４レンズ群４０にて４群レンズホルダ４１は４群レンズ４に保持する。４群レンズ４が不図示の第４レンズ群用モータによって第２の光軸Ｂに沿って移動することで、変倍動作及び合焦動作が行われる。光学フィルタ８は、空間周波数の高い光を遮断する為のローパスフィルタ機能及び赤外光を遮断する機能を有する。
【００１４】
図２は、レンズ鏡筒がＴＥＬＥ位置（望遠位置）にある状態を示す要部断面図である。この状態では、図１に示す状態と比較した場合、第１レンズ群１０が第１の光軸Ａに沿って被写体側に前進するとともに、第２レンズ群２０が第１の光軸Ａに沿って後退してプリズム５に接近した位置で停止している。また第３レンズ群３０は、第２の光軸Ｂに沿ってプリズム５に向かって移動し、プリズム５に接近した位置で停止している。第４レンズ群４０は、第２の光軸Ｂに沿って撮像素子９に向かって移動して該素子に接近した位置で停止している。
【００１５】
図３は、レンズ鏡筒がＳＩＮＫ位置（収納位置）にある状態を示す要部断面図である。この状態では、プリズム５、第３レンズ群３０及び第４レンズ群４０が、第２の光軸Ｂに沿って撮像素子９側にて互いに干渉しない位置に移動している。これによりレンズ鏡筒内には、第１レンズ群１０及び第２レンズ群２０の収納空間が形成されるので、これらのレンズ群を光軸Ａに沿って後退させ、収納空間に位置させて固定筒６２内に収納できる。
【００１６】
図４は固定筒６２の内周面を展開して示す図である。固定筒６２の内周面には、複数のカム溝６２ａが形成されている。これらのカム溝６２ａには、カム筒６１の外周部に設けたカムピン（不図示）がカム係合する。カム溝６２ａは直線溝と傾斜溝をもち、符号６２ｃ乃至ｅはカムピンの係合位置を表しており、その詳細については後述する。また矩形状の切り欠き部６２ｂは、プリズム５が光軸Ｂに沿って撮像素子９の側に移動する際に固定筒６２と干渉しないように形成されている。
【００１７】
カム筒６１の外周部にはギア部（不図示）が形成され、不図示のモータから駆動力が伝達されることで、カム筒６１が第１の光軸Ａを中心軸として回転駆動される。このとき、固定筒６２のカム溝６２ａとカム筒６１のカムピンとのカム係合により、カム筒６１は第１の光軸Ａに沿って進退する。また、カム筒６１の内周部には、不図示の１群カム溝及び２群カム溝が形成されている。
直進ガイド筒６３は、カム筒６１の内周側に配置され、カム筒６１と一体に回転可能であって、且つ、第１の光軸Ａの方向に移動可能である。図１乃至３に示すように、カム筒６１と直進ガイド筒６３との間には１群鏡筒１１の一部が配置され、その外周部に設けたカムピンがカム筒６１の１群カム溝（不図示）とカム係合している。また、直進ガイド筒６３の外周部には、第１の光軸Ａの方向に沿って延びる直進溝（不図示）が形成されており、この直進溝に１群鏡筒１１の内周部に設けた凸部が係合することにより、１群鏡筒１１の回転方向の動きが規制される。
【００１８】
直進ガイド筒６３の内周側には２群鏡筒２１の一部が配置され、第２レンズ群２０は、第１レンズ群１０と同様にカム機構によって移動する。つまり、２群鏡筒２１に設けた不図示のカムピンがカム筒６１の２群カム溝にカム係合する。また、直進ガイド筒６３には第１の光軸Ａの方向に沿って不図示の貫通溝が設けられており、この貫通溝には２群鏡筒２１のカムピンの根元に配置された係合部が係合する。これにより、２群鏡筒２１の回転方向の動きが規制される。
不図示のモータ及び伝達機構によってカム筒６１が回転すると、カム筒６１の１群カム溝と１群鏡筒１１のカムピンとがカム係合した状態で、１群鏡筒１１に設けた凸部が直進ガイド筒６３の直進溝を第１の光軸Ａの方向に沿って摺動する。１群鏡筒１１がカム筒６１に対して光軸に沿って進退する。カム筒６１が固定筒６２に対して第１の光軸Ａの方向に沿って進退すると、カム筒６１に対して１群鏡筒１１が第１の光軸Ａに沿って進退し、１群レンズ１は収納位置と撮影位置との間を移動する。２群レンズ２についても、同様のカム作用及び動作によって収納位置と撮影位置との間を移動する。
【００１９】
次に図５乃至７を参照して、調整レンズ７の光学調整について説明する。図５は保持部材６と調整レンズ７を示す要部の斜視図である。保持部材６には撮像素子９と対向する側に、調整レンズ７の粗調整を行うための保持部としてのリング状凸部６ｂと、接着剤溜まり６ｃが設けられている。本例では、調整レンズ７の大まかな位置を決めるためにリング状凸部６ｂが使用され、調整レンズ７の最終調整が完了した時点で該レンズの接着固定が行われる。リング状凸部６ｂの内径部は調整レンズ７の外径に対し隙間を有しており、この隙間が調整レンズ７の偏芯調整範囲となる。作業者は工具等を使って調整レンズ７の位置を調整した後、接着剤溜まり６ｃに接着剤を注入して調整レンズ７を固定する。調整レンズ７は、第２の光軸Ｂ上の第３レンズ群３０、第４レンズ群４０の寸法誤差、組み立て誤差を吸収し、第２の光軸Ｂ上に位置する光学部材の光学性能を保証するための調整機能をもつ。
【００２０】
図６は、調整レンズ７を調整するときに関係するレンズ鏡筒の要部を示す斜視図である。１対のガイドバー１６は、保持部材６、第３レンズ群３０、第４レンズ群４０を支持するとともに、これらを第２の光軸Ｂの方向に沿って移動可能な状態で案内する。鏡筒ベース１７はガイドバー１６、光学フィルタ８、撮像素子９、固定筒６２等を保持する。図示のとおり、調整レンズ７の調整時には、固定筒６２及び固定筒６２に保持される第１レンズ群１０、第２レンズ群２０と、光学フィルタ８、撮像素子９は取り付けられていない。また保持部材６にプリズム５は取り付けられていない。
保持部材６には、撮像素子９と反対側の光軸Ｂ上に開口部６ａが設けられている。また鏡筒ベース１７には、撮像素子９と反対側の光軸Ｂ上に開口部１７ａが設けられている。これらの開口部６ａ及び１７ａは、後述するように調整レンズ７を通った光線が不図示の検出部に到達するように各部に形成され、従って、第２の光軸Ｂ上には光線を遮る部材は無く、後述する外部光源からの光線を、レンズ鏡筒を貫いて通すことができる。なお、前地板３２にて保持部材６の側に固定されたシャッタ駆動部３０ａは、第２の光軸Ｂに沿って移動可能である。
【００２１】
図７は調整レンズ７の光学調整方法を実施する際の模式図である。レンズ鏡筒に対して、第２の光軸Ｂ上に光源５１と調整用チャート５２が設置されている。調整用チャート５２は、後の工程で取り付けられる撮像素子９と同一の位置に設置される。光源５１や調整用チャート５２とは反対側の光軸Ｂ上には、調整用工具レンズ５３、調整用工具センサ５４が設置される。光源５１から発した光は、調整用チャート５２、４群レンズ４、３群レンズ３、調整レンズ７を透過して、保持部材６に設けた開口部６ａを通る。そして光は開口部１７ａから出て調整用工具レンズ５３を透過し、調整用工具センサ５４の受光部には、調整用チャート５２に描かれたチャートの検出像が得られる。調整用工具レンズ５３及び調整用工具センサ５４は検出光学系（検出手段）を構成する。作業者が調整レンズ７の位置を矢印方向、つまり第２の光軸Ｂに対して直交する方向に変位させることで、結像したチャート像のボケ量や歪みが変化する。結像したチャートを調整用工具センサ５４が読み取り、結像したチャート像のボケ量や歪みを不図示の処理装置で評価することで、作業者は評価結果に基づいて調整レンズ７による光学調整状態の良否を判断できる。保持部材６に設けた開口部６ａ及び鏡筒ベース１７に設けた開口部１７ａは、結像したチャート像の評価に必要な量の光束を透過させるための充分な大きさを有する。
作業者は調整レンズ７の調整を終えて該レンズを接着固定した後、プリズム５を保持部材６に取り付け、プリズムカバー１５によって保持部材６に設けた開口部６ａを塞いで遮光する。その後、作業者はカム筒６１、第１レンズ群１０、第２レンズ群２０等を保持した固定筒６２を鏡筒ベース１７に取り付け、固定筒６２によって鏡筒ベースの開口部１７ａを塞ぐ。こうしてレンズ鏡筒が完成する。
【００２２】
以上のように本実施形態では、プリズム５よりも撮像素子９の側にて第２の光軸Ｂに沿ったレンズ群のみで光学調整を行える。また、調整レンズ７の調整により、プリズム５の取付誤差の成分を除いた光学調整ができるため、より正確な光学調整が可能となる。
【００２３】
次に可動部材同士の干渉によって、該干渉に耐えられる程には強度の強くない部品が破損しないように防止するための対策について説明する。
前記レンズ鏡筒にて、第１の光軸Ａに沿って移動するレンズ群と第２の光軸Ｂに沿って移動するレンズ群が個別に移動する場合、光軸Ｂに沿って収納位置へ移動するレンズ群が退避する前に光軸Ａに沿って移動するレンズ群が沈胴したとする。この場合、部品同士が接触する虞が生じる。例えば、図３に示すように、プリズム５、第３レンズ群３０及び第４レンズ群４０が、光軸Ｂに沿って撮像素子９側に移動して収納位置に来る前に、第１レンズ群１０及び第２レンズ群２０が光軸Ａに沿って後退したとする。この場合、部材同士の干渉によって強度の強くない部品が破損する虞がある。以下では、このような干渉によって生じる問題への対策を説明する。
【００２４】
図８は直進ガイド筒６３とシャッタ駆動部３０ａ、移動量規制部６ｄの位置関係を示すレンズ鏡筒の分解斜視図である。図中に示すＹは、第１の光軸Ａの方向における直進ガイド筒６３とシャッタ駆動部３０ａとの距離を示し、Ｚは第１の光軸Ａの方向における直進ガイド筒６３と移動量規制部６ｄとの距離を示す。第１の光軸Ａの方向において保持部材６に設けた移動量規制部６ｄはシャッタ駆動部３０ａよりも被写体の側に位置しているため、距離Ｚは距離Ｙよりも小さい（Ｚ＜Ｙ）。
【００２５】
以下では、レンズ鏡筒が図２に示すＴＥＬＥ位置での撮影状態から、図３に示すＳＩＮＫ位置（収納位置）に移動する際、第１レンズ群１０等に外力が加わった場合について説明する。
図４に示すように固定筒６２のカム溝６２ａにはカム筒６１のカムピン（不図示）がカム係合している。位置６２ｃ乃至ｅは、このカムピンがカム溝６２ａに係合する位置を表している。位置６２ｃ及び６２ｅではカムピンがカム溝６２ａの直線溝に係合し、位置６２ｄではカムピンがカム溝６２ａの傾斜溝に係合している。このカムピンが、位置６２ｄのようにカム溝６２ａの傾斜溝内、つまり傾きの大きい位置に来ている状態で、第１レンズ群１０等に外力が加わった場合を想定する。外力によって、カム筒６１はカム溝６２ａの傾斜部に沿って回転しながら収納位置の方向へ移動する。このとき、図８のように第３レンズ群３０が収納位置まで退避していない状態では、シャッタ駆動部３０ａと直進ガイド筒６３が干渉し、シャッタ駆動部３０ａが破損する虞がある。
本実施形態では、移動量規制部６ｄが保持部材６に設けられており、「Ｚ＜Ｙ」の関係が成り立つ。よって、図８のように直進ガイド筒６３がシャッタ駆動部３０ａと干渉する位置に来る前に、移動量規制部６ｄの規制面が直進ガイド筒６３の一部に当接し、それ以上の移動（後退）を規制する。これにより、シャッタ駆動部３０ａの機械的強度を高くしなくても保護できる。
【００２６】
以上説明したように、本実施形態では、保持部材６が撮影位置にある状態で、第１の光軸Ａに沿って進退する可動部（直進ガイド筒６３を含む）が収納位置へ移動する際、その移動を規制する移動量規制部６ｄを保持部材６に設けている。これにより第２の光軸Ｂに沿って移動するレンズ群が収納位置へ退避する前に、第１の光軸Ａに沿って移動する可動部（前群鏡筒部）が沈胴しても第２の光軸Ｂに沿って移動する部材と干渉して破損しないように防止できる。
【００２７】
なお、本発明は上記実施形態に例示した構成に限定されるものではなく、材質、形状、寸法、形態、数、配置箇所等は、本発明の要旨を逸脱しない範囲において適宜変更可能である。例えば、上記の例では屈曲光学素子としてプリズム５を示したが、これに限らず、ミラー等を用いてもよい。上記の例では調整レンズ７を保持部材６に設けたが、光学調整用のレンズが、例えば３群レンズ３や４群レンズ４であってもよい。また上記の説明では、直進ガイド筒６３とシャッタ駆動部３０ａが干渉しないための構成例を示した。しかし本発明はこれに限定されず、例えば第２レンズ群２０と後地板３４の干渉を防止する手段（規制部）を講じてもよい。
【符号の説明】
【００２８】
１，２  レンズ（第１の光学部材）
３，４  レンズ（第３の光学部材）
５  プリズム（屈曲光学素子）
６  保持部材
６ａ  開口部
６ｄ  移動量規制部
７  調整レンズ（第２の光学部材）
１５  プリズムカバー
１７  鏡筒ベース
１７ａ  開口部
３０ａ  シャッタ駆動部
６３  直進ガイド筒
【図１】
2012042565.tif 000003
【図２】
2012042565.tif 000004
【図３】
2012042565.tif 000005
【図４】
2012042565.tif 000006
【図５】
2012042565.tif 000007
【図６】
2012042565.tif 000008
【図７】
2012042565.tif 000009
【図８】
2012042565.tif 000010